(57)【要約】【課題】ホッパの下部に配置した灰輸送管に簡単な設備を設けることで、この灰輸送管内に堆積して詰った燃焼灰を崩すことにより、閉塞状態を回避して、燃焼灰を円滑に吸引輸送する。【解決手段】集塵器で捕捉した燃焼灰Ａを蓄積するホッパ１と、ホッパ１の下端に接続し、ホッパ１から落下した燃焼灰Ａを吸引して灰処理装置４に輸送するための灰輸送管２と、を備えた灰輸送装置において、灰輸送管２内に詰まった燃焼灰Ａを崩すために、灰輸送管２内にチェーンのような連鎖状部材７を前後動するように設けた。【選択図】図２
2008180425.tif 000002
【特許請求の範囲】
【請求項１】
集塵器で捕捉した燃焼灰（Ａ）を蓄積するホッパ（１）と、該ホッパ（１）の下端に接続し、ホッパ（１）から落下した燃焼灰（Ａ）を吸引して灰処理装置（４）に輸送するための灰輸送管（２）と、を備えた灰輸送装置において、
前記灰輸送管（２）内に詰まった燃焼灰（Ａ）を崩すために、該灰輸送管（２）内に連鎖状部材（７）を前後動するように設けた、ことを特徴とする燃焼灰等の灰輸送管詰り防止装置。
【請求項２】
前記連鎖状部材（７）は、プーリ（６）に架け渡したチェーンである、ことを特徴とする請求項１の燃焼灰等の灰輸送管詰り防止装置。
【請求項３】
前記連鎖状部材（７）は、前記プーリ（６）に架け渡したワイヤ（１１）に、部分的にチェーン（１０）を連結した、ことを特徴とする請求項２の燃焼灰等の灰輸送管詰り防止装置。
【請求項４】
前記連鎖状部材（７）は、プーリ（６）に架け渡したワイヤ（１１）に、詰った燃焼灰（Ａ）を崩す程度の大きさを有する抵抗片（１２）を略等間隔に取り付けたものである、ことを特徴とする請求項１の燃焼灰等の灰輸送管詰り防止装置。
【請求項５】
前記連鎖状部材（７）は、前記プーリ（６）に架け渡したワイヤ（１１）に、前記抵抗片（１２）を部分的に複数取り付けたものである、ことを特徴とする請求項４の燃焼灰等の灰輸送管詰り防止装置。
【請求項６】
複数の前記連鎖状部材（７）を、前記灰輸送管（２）内に配置した、ことを特徴とする請求項１の燃焼灰等の灰輸送管詰り防止装置。
【発明の詳細な説明】
【技術分野】
【０００１】
本発明は、発電所等のボイラで発生し、ホッパに蓄積された燃焼灰等を灰輸送管を通して灰処理装置へ吸引輸送するときに、この灰輸送管内に詰った燃焼灰等を崩して円滑に吸引輸送する燃焼灰等の灰輸送管詰り防止装置に関する。
【背景技術】
【０００２】
発電所等の大型施設のボイラ等で発生した燃焼灰は、燃焼排ガスと共に脱硝装置及び空気予熱器を経て電気集塵器に導入され、電気集塵器でその大半が捕捉される。電気集塵器の底部には、逆円錐形状のホッパが複数個設置され、捕捉された燃焼灰（ＥＰ灰）はこのホッパ内に蓄積される。
【０００３】
各ホッパ内に蓄積した燃焼灰は、灰輸送管を通じて真空ポンプで吸引され灰処理装置に輸送される。灰輸送管の一端には大気吸込口が設けられており、この大気吸込口を開き真空ポンプを作動させると、灰輸送管内にはサイロに向けた気流が生じるため、ホッパの下端の排出弁を開くとホッパ内の燃焼灰が灰輸送管に吸引されて輸送される。複数のホッパからの燃焼灰の輸送は、１基ずつ順次排出弁を開いて燃焼灰を吸引することによって行われる。
【０００４】
例えば、このようなホッパのアッシュインテーク弁（排出弁）を開閉することにより、ホッパ内の重油灰のような燃焼灰が灰輸送管内に落下し真空引きにより温風と共に燃焼灰を輸送する。灰輸送管内に多量の燃焼灰が落下すると燃焼灰の性状、即ち重油灰は粘性が高いので、灰輸送管内に燃焼灰が堆積し閉塞状態となりやすい。
【０００５】
このような燃焼灰などの詰りを防止する技術として、例えば特許文献１の特開２００１−２０８３３１号公報「燃焼装置とその煙道灰堆積防止方法」に示すように、燃料を燃焼させるための火炉と、火炉上流側に設けた煙道に設置される火炉に燃料を供給するための燃料搬送用空気を供給する押込通風機及び一次空気搬送用の一次空気通風機と、火炉の上流側の煙道内の空気と火炉の下流側の間に設けられ、煙道内の燃焼排ガスとの熱交換により一次空気と燃料搬送用空気を予熱する空気予熱器と、火炉の下流側の煙道に設けられる火炉からの燃料燃焼排ガス中の除塵をする電気集塵器と、該電気集塵器の上流側のガス流れに沿って登り勾配の傾斜がついた斜行煙道と、該斜行煙道の底部に堆積した灰等を吹き飛ばすため斜行煙道内にパージ媒体を吹き出すノズル及びパージ弁を設置するパージ系統を備えた燃焼装置の煙道灰堆積防止方法において、前記パージ系統に一次空気通風機あるいは押込通風機の下流側煙道から取り出した冷空気に空気予熱器の下流側の煙道より取り出した熱空気を合流させて得られる昇温した空気を用いる燃焼装置の煙道灰堆積防止方法が提案されている。
【特許文献１】特開２００１−２０８３３１号公報
【発明の開示】
【発明が解決しようとする課題】
【０００６】
このように灰輸送管が閉塞すると点検・清掃を要する。この点検・清掃するための費用と手間及びその時間がかかるという問題を有していた。更に、点検・清掃することにより燃焼灰が周囲へ飛散し、飛散した燃焼灰の清掃・水洗が更に必要になるという問題を有していた。
【０００７】
特許文献１の「燃焼装置とその煙道灰堆積防止方法」は、煙道内に灰が堆積することを防止する技術である。ホッパから灰輸送管に移し、この灰輸送管内に堆積して詰った燃焼灰の詰りを防止する技術ではなかった。
【０００８】
本発明は、かかる問題点を解決するために創案されたものである。すなわち、本発明の目的は、ホッパの下部に配置した灰輸送管に簡単な設備を設けることで、この灰輸送管内に堆積して詰った燃焼灰を崩すことにより、閉塞状態を回避して、燃焼灰を円滑に吸引輸送することができる燃焼灰等の灰輸送管詰り防止装置を提供することにある。
【課題を解決するための手段】
【０００９】
本発明によれば、集塵器で捕捉した燃焼灰（Ａ）を蓄積するホッパ（１）と、該ホッパ（１）の下端に接続し、ホッパ（１）から落下した燃焼灰（Ａ）を吸引して灰処理装置（４）に輸送するための灰輸送管（２）と、を備えた灰輸送装置において、前記灰輸送管（２）内に詰まった燃焼灰（Ａ）を崩すために、該灰輸送管（２）内に連鎖状部材（７）を前後動するように設けた、ことを特徴とする燃焼灰等の灰輸送管詰り防止装置が提供される。
例えば、前記連鎖状部材（７）は、プーリ（６）に架け渡したチェーンである。前記連鎖状部材（７）は、前記プーリ（６）に架け渡したワイヤ（１１）に、部分的にチェーン（１０）を連結したものである。
【００１０】
前記連鎖状部材（７）は、プーリ（６）に架け渡したワイヤ（１１）に、詰った燃焼灰（Ａ）を崩す程度の大きさを有する抵抗片（１２）を略等間隔に取り付けたものである。
この前記連鎖状部材（７）は、前記プーリ（６）に架け渡したワイヤ（１１）に、前記抵抗片（１２）を部分的に複数取り付けたものである。
複数の前記連鎖状部材（７）を、前記灰輸送管（２）内に配置したものである
【発明の効果】
【００１１】
上記構成の発明では、チェーン（１０）等の連鎖状部材（７）を灰輸送管（２）内で前後動させれば、ホッパ（１）直下の位置で堆積して灰輸送管（２）内を閉塞していた燃焼灰（Ａ）を容易に崩すことができる。従来のように、灰輸送管（２）を分解することなく、燃焼灰（Ａ）の詰りを解消することができる。このように閉塞状態の灰輸送管（２）内に通気穴（Ｈ）が開けば、そこに空気が通るようになり、負圧にした灰輸送管（２）内で燃焼灰（Ａ）が吸引輸送されるようになる。一旦閉塞した状態から通風状態が形成されると、燃焼灰（Ａ）を容易に吸引輸送することができる。
このように、灰輸送管（２）内の灰詰まりによるホッパ（１）内の灰堆積を防止することができ、灰輸送管（２）の点検・清掃にかかる費用・手間を低減することができる。灰輸送管（２）の点検・清掃時における、外部への燃焼灰（Ａ）の飛散を防止することができる。
【００１２】
本発明の詰り防止装置は、チェーン（１０）等の連鎖状部材（７）、プーリ（６）及びこの連鎖状部材（７）を前後動させる駆動部（８）といった簡単な器具を従来の灰輸送管（２）に組み込むことにより、燃焼灰（Ａ）の詰りを容易に防止でき、その汎用性が高い。
【００１３】
一部をワイヤ（１１）で連結した連鎖状部材（７）では、灰輸送管（２）の表面に小さい孔を開け、このワイヤ（１１）部分を灰輸送管（２）の外部に出してこれを駆動部（８）で前後動させることができる。灰輸送管（２）内部の密閉性を高く維持することができ、燃焼灰（Ａ）の吸引輸送の高効率化を図ることができる。
【００１４】
灰輸送管（２）が水平状態と垂直状態に配管されているときは、連鎖状部材（７）をそれぞれの灰輸送管（２）に設けることにより、装置を複雑な機構にすることなく、灰輸送管（２）内の詰りを容易に防止することができる。
【発明を実施するための最良の形態】
【００１５】
本発明の燃焼灰等の灰輸送管詰り防止装置は、灰輸送管内にチェーンのような連鎖状部材をプーリで前後動するように設け、この灰輸送管内に詰まった燃焼灰を崩して、閉塞状態の灰輸送管内に通気穴を開け、そこに空気が通るようにして再び燃焼灰を吸引輸送することができる。
【実施例１】
【００１６】
以下、本発明の好ましい実施の形態を図面を参照して説明する。
図１は実施例１の燃焼灰等の灰輸送管詰り防止装置を示す一部切欠いた概略図である。図２は実施例１の詰り防止装置の一部省略した説明断面図である。
本発明の灰輸送装置は、ボイラの煙道に配置された電気集塵器で捕捉したＥＰ灰等の燃焼灰Ａを蓄積するホッパ１は、上端側が広く下端側が狭くなるように形成された漏斗形状をしており、その上部からホッパ１内に粉末状の燃焼灰Ａが投入される。ホッパ１の下端近傍には、蓄積した燃焼灰等Ａの蓄積物の灰輸送管２への吸引を許容するためのアッシュインテーク弁（排出弁）３が設けられている。なお、このホッパ１は、電気集塵器の下部に複数個複数列に並べられ配置されている。
【００１７】
灰輸送管２は、例えば列をなして配置された複数のホッパ１の下端を連結する水平方向に伸長する内径３０ｃｍ程度の配管であり、その一端は吸気弁が設けられた大気吸入口となっている。また灰輸送管２の他端は灰処理装置４に接続されおり、ホッパ１と灰処理装置４とをつなぐ灰輸送管２の経路には、ホッパ１内から燃焼灰等Ａを吸引するための真空ポンプ５が設けられている。即ち、真空ポンプ５が作動すると灰輸送管２には負圧が生じ、大気吸入口からの空気の流入によって、ホッパ１内からは燃焼灰等Ａが吸引される。吸引された燃焼灰等Ａは、灰輸送管２内を通って灰処理装置４に輸送されるようになっている。
なお、ホッパ１との接続個所部分の灰輸送管２には、その点検や清掃を行うため着脱自在な着脱蓋が取り付けられた内径１５ｃｍ程度の灰輸送管マンホールが形成されている。
【００１８】
灰輸送管２内には、プーリ６に架け渡したチェーン１０から成る連鎖状部材７を前後動するように設けた。この連鎖状部材７は、灰輸送管２内に詰まった燃焼灰Ａを崩すものである。この連鎖状部材７は駆動部８を構成するハンドル９を手動で回転させて、灰輸送管２内で前後動させる。または、この連鎖状部材７は一方向に回転させる。
図示例の駆動部８は、ハンドル９を回動させ、その回転軸に取り付けたギヤで連鎖状部材（チェーン）７を前後動させる構造を示している。しかし、駆動部８はこの手動構造に限定されず、モータ（図示していない）で駆動する構造にすることも可能である。
【００１９】
図３は本発明の詰り防止装置の動作状態を示す灰輸送管内の説明断面図であり、（ａ）は灰が閉塞している状態、（ｂ）は連鎖状部材で詰りを崩した状態、（ｃ）は管内の詰りが解消され吸引輸送が円滑になった状態である。
このように、連鎖状部材７を灰輸送管２内で前後動させれば、図３（ａ）に示すような、ホッパ１直下の位置で堆積して灰輸送管２内を閉塞していた燃焼灰Ａを容易に崩すことができる。図３（ｂ）に示すように、閉塞状態の灰輸送管２内に通気穴Ｈが開けば、そこに空気が通るようになり、負圧にした灰輸送管２内で燃焼灰Ａが吸引輸送されるようになる。図３（ｃ）に示すように、一旦閉塞した状態から通風状態が形成されると、燃焼灰Ａも容易に吸引輸送することができる。
【００２０】
図４は連鎖状部材の他の実施例を示す部分概略図である。
本発明の連鎖状部材７は、これを灰輸送管２内で前後動させ、灰輸送管２内を閉塞していた燃焼灰Ａを容易に崩す機能を有するものであれば、上述したチェーン１０に限定されない。図４に示すように、ワイヤ１１に、詰った燃焼灰Ａを崩す程度の大きさを有する抵抗片１２を複数取り付けたものを利用することができる。この連鎖状部材７をプーリ６に架け渡して灰輸送管２内で前後動させるものでもよい。また、個々の抵抗片１２は図示例の円盤形状に限定されず、略球形状、略立方体形状、その他のものでもよい。
【実施例２】
【００２１】
図５は実施例２の詰り防止装置の一部省略した説明断面図である。
実施例２の燃焼灰等の灰輸送管詰り防止装置は、連鎖状部材７のチェーン１０の一部をワイヤ１１にしたものである。即ち、連鎖状部材７はその全体がチェーン１０ではなく、一部をワイヤ１１で構成したものである。連鎖状部材７の一部をワイヤ１１で連結したものでは、灰輸送管２の表面に小さい孔を開け、この孔からこのワイヤ１１部分を灰輸送管２の外部に出してこれを駆動部８で前後動させることができる。灰輸送管２内部の密閉性を高く維持することができ、燃焼灰Ａの吸引輸送の高効率化を図ることができる。
【実施例３】
【００２２】
図６は実施例３の詰り防止装置の一部省略した説明断面図である。
実施例３の燃焼灰等の灰輸送管詰り防止装置は、連鎖状部材７を全て灰輸送管２に収納し、これを駆動部８のハンドル９で前後動、又は一方向に回転させるものである。連鎖状部材７全体を灰輸送管２内に収納すると灰輸送管２内部の密閉性をより高く維持することができる。
【実施例４】
【００２３】
図７は実施例４の詰り防止装置の一部省略した説明断面図である。
実施例４の燃焼灰等の灰輸送管詰り防止装置は、複数の前記連鎖状部材７を、灰輸送管２内に配置したものである。灰輸送管２が水平状態、垂直状態とに配管されているときは、連鎖状部材７をそれぞれの灰輸送管２に設けることにより、装置を複雑な機構にすることなく、灰輸送管２内の詰りを容易に防止することができる。
【００２４】
なお、本発明は、ホッパ１の下部に配置した灰輸送管２に簡単な設備を設けることで、この灰輸送管２内に堆積して詰った燃焼灰Ａを崩すことにより、閉塞状態を回避して、燃焼灰Ａを円滑に吸引輸送することができきれば、上述した実施例に限定されず、本発明の要旨を逸脱しない範囲で種々変更できることは勿論である。
【産業上の利用可能性】
【００２５】
本発明の燃焼灰等の灰輸送管詰り防止装置は、燃焼灰を崩して吸引輸送するとき以外に、その他の粘性が高く管内で詰まりやすい粉体を吸引輸送する様々な装置にも利用することができる。
【図面の簡単な説明】
【００２６】
【図１】実施例１の燃焼灰等の灰輸送管詰り防止装置を示す一部切欠いた概略図である。
【図２】実施例１の詰り防止装置の一部省略した説明断面図である。
【図３】本発明の詰り防止装置の動作状態を示す灰輸送管内の説明断面図であり、（ａ）は灰が閉塞している状態、（ｂ）は連鎖状部材で詰りを崩した状態、（ｃ）は管内の詰りが解消され吸引輸送が円滑になった状態である。
【図４】連鎖状部材の他の実施例を示す部分概略図である。
【図５】実施例２の詰り防止装置の一部省略した説明断面図である。
【図６】実施例３の詰り防止装置の一部省略した説明断面図である。
【図７】実施例４の詰り防止装置の一部省略した説明断面図である。
【符号の説明】
【００２７】
１  ホッパ
２  灰輸送管
６  プーリ
７  連鎖状部材
１０  チェーン
１１  ワイヤ
１２  抵抗片
Ａ  燃焼灰
【図１】
2008180425.tif 000003
【図２】
2008180425.tif 000004
【図３】
2008180425.tif 000005
【図４】
2008180425.tif 000006
【図５】
2008180425.tif 000007
【図６】
2008180425.tif 000008
【図７】
2008180425.tif 000009